Podtech/llm-jp-corpus-v4-ja_patent huggingface dataset:
(57)【要約】      （修正有）【課題】便利で、早くて、医療器具をきれいに洗浄し、病院などでの医療器具の長時間の使用に適合する医療器具の洗浄機を提供する。【解決手段】ラック１とラックカバー２、およびラック１の底についている駆動装置３、およびラック１内の内側の敷き物４を含み、駆動装置３を内側の敷き物４と固定し接続し、内側の敷き物４のうち壁に１つ以上の穴を備え、前記の穴にブラシ５を取り付け、ラックカバー２とラック１が動けるようにさせ接続し、ラックカバー２のそこに攪拌軸６を取り付けており、攪拌軸６に１本以上の洗浄リブ７を取り付ける。【選択図】図１
0003199021.tif 000002
【実用新案登録請求の範囲】
【請求項１】
医療器具の洗浄機において、ラックとラックカバー、およびラックカバーの底に取り付ける駆動装置、およびラック内に取り付けられた敷き物であって、前記の駆動装置と固定して接続された敷き物、前記の敷き物の壁に１つ以上の穴を備え、前記の穴にブラシが取り付けられ、前記のラックとラックカバーが接続されており、前記のラックカバーの底に攪拌軸を取り付け、前記の攪拌軸に１本以上の洗浄リブが付いていることを特徴とする医療器具の洗浄機。
【請求項２】
請求項１に記載の医療器具の洗浄機において、前記の攪拌軸にモーターがついており、前記のモーターをラック内に取り付けることを特徴とする医療器具の洗浄機。
【請求項３】
請求項１に記載の医療器具の洗浄機において、前記のラックカバーの上に取っ手を取り付けて、前記のラックカバーのまわりにパッキンリブを備えることを特徴とする医療器具の洗浄機。
【考案の詳細な説明】
【技術分野】
【０００１】
この実用新型は一種の医療機器の洗浄機にかかわる。
【背景技術】
【０００２】
いま、病院において様々な精密機器と医療設備は、置く時間が長く、空気のほこり粒は地面に落ち、しかも、設備のすきまの中に散り落ちやすく、そのため、いつものほこりぬきおよびメンテナンスが必要で、ふつうは清潔布で洗うが、洗浄布はすきまの中のほこりにてきれいに拭き、しかも、一部の医療設備に水印が残り、時間が長く経ったら、医療設備が腐食しさびやすくなり、それで医療設備の使用寿命を下げる。
【考案の概要】
【考案が解決しようとする課題】
【０００３】
この実用新型に解決する必要がある技術問題は一種の構造が簡単な、使用しやすい、洗浄するには速く、きれいな医療機器の洗浄機を提供する。
【課題を解決するための手段】
【０００４】
この実用新型は以下の技術案にて実現する。一種の医療機器の洗浄機、ラックとラックカバー、およびラックカバーのそこに駆動装置を取り付け、およびラック内の内側の敷き物を取り付け、前記の駆動装置を内側の敷き物と固定して接続し、前記の内側の敷き物の壁に１つ以上の穴を備え、前記の穴にブッラシを取り付け、前記のラックとラックカバーが動き接続されており、前記のラックのそこに攪拌軸がついており、前記の攪拌軸の上に一本以上の洗浄リブを取り付ける。
【０００５】
厳選した技術案として、前記の攪拌軸にモーターがついており、前記のモーターをラック内に取り付ける。
【０００６】
厳選した技術案として、前記のラックに取っ手を取り付け、前記のラックのまわりにパッキンリブを備える。
【考案の効果】
【０００７】
この実用新型の医療機器の洗浄機によい効果としては、内側の敷きものに１つ以上のブッラシとラックカバーにある洗浄リブを取り付け、駆動装置で内側の敷き物に動かし、従って、もっと便利でやすく医療器具をきれいに洗浄し、攪拌軸にモーターを接続し、従って内側の敷き物が動き、しかも攪拌軸も動き、一部の複雑な医療器具を使用するときにもっと便利で徹底的に洗浄し、病院などで医療器具の長時間の使用に適用する。
【図面の簡単な説明】
【０００８】
【図１】この実用新型の一種の医療機器の洗浄機の構造の表し図である。
【図２】この実用新型の一種の医療機器の洗浄機におけるラックカバーの構造の表し図である。
【考案を実施するための形態】
【０００９】
図１と図２のように、この実用新型は以下の技術案にて実現する、一種の医療機器の洗浄機で、ラック１とラックカバ−２、およびラック１のそこについている駆動装置３、およびラック１内の内側の敷き物４を含み、前記の駆動装置３を内側の敷き物４と固定し接続し、前記の内側の敷き物４のうち壁に１つ以上の穴（図表がない）を備え、前記の穴にブッラシ５を取り付け、前記のラックカバー２とラック１が動けるようにさせ接続し、前記のラックカバー２のそこに攪拌軸６を取り付けており、前記の攪拌軸６に１本以上の洗浄リブ７を取り付ける。
【００１０】
そのなか、前記の攪拌軸６にモーター８を接続し、前記のモーター８をラックカバー２の中に取り付ける。
【００１１】
前記のラックカバー２の上に取っ手９を取り付け、前記のラックカバー２のまわりにパッキンリブ１０を備える。
【００１２】
この実用新型の医療機器の洗浄機によい効果としては、うち壁に１つ以上のブッラシとラックカバーにある洗浄リブを取り付け、駆動装置にて内側の敷き物を動かせ、従って便利ではやくて医療器具をきれいに洗い、攪拌軸にモーターを接続し、従って内側の敷物だけでなく、攪拌軸もまわり、一部の複雑な医療器具を洗うときにもっと便利で徹底的にきれいにし、病院などで医療機器の長時間の使用に適用する。
【００１３】
前記の通り、この実用新型の具体的な実施する方法だけでないが、この実用新型の保護範囲はそうでもなく、いずれの創造性のある労働を経たずに変化または交換を行う場合は、この実用新型の保護範囲内に含む。従って、この実用新型の保護範囲は権利要求書に定められたどおりの保護範囲に準ずるべきである。
【符号の説明】
【００１４】
１、ラック  ２、ラックカバー  ３、駆動装置  ４、内側の敷き物  ５、ブッラシ  ６、攪拌軸  ７、洗浄リブ  ８、モーター  ９、取っ手  １０、パッキンリブ
【図１】
0003199021.tif 000003
【図２】
0003199021.tif 000004
(57)【要約】      （修正有）【課題】伝統的な１つだけの絞りによる絞り部の膨らみ、気持ちのよくない反応がないようにする医療用の血止めベルトを提供する。【解決手段】ベルト本体１はソフトゴム材から造られており、この本体１の片側が開け口で、ベルト１の片側に１つのロック２を備え、ロック２の幅とベルト本体１の幅が同様で、ロック２は樹脂材から構成し、ロック２が断面四角形の空洞を有するように形成され、このロック２の上側の面に一番目のロック４を備え、ベルト本体１のもう１つ側がかぎかけ側７で、かぎかけ側７の幅がベルト本体１の幅より小さく、かぎかけ側７の上側の面の一番目のボッチがまっすぐあっており二番目のボッチ５を備え、二番目のボッチ５の上側に１つ以上の戻り止めシート６を備え、ベルト本体１の内側に三番目のボッチを備える。【選択図】図１
0003199023.tif 000002
【実用新案登録請求の範囲】
【請求項１】
医療用の血止めベルトにおいて、ベルト本体を含み、このベルト本体はソフトゴム材から造られ、このベルト本体は開口し、ベルト本体の一端側に１つのロックを備え、ロックの幅とベルト本体の幅が同一で、ロックは樹脂材から構成され、前記のロックが断面四角形の空洞を有するように形成され、このロックの上側の面に第１のボッチを備え、ベルト本体の他端側はかぎかけ側で、前記のかぎかけ側の幅はベルト本体の幅より小さく、前記のかぎかけ側の上側の面は第２のボッチを備え、前記の第２のボッチの上側に１つ以上の戻り止めシートを備え、前記のベルト本体の内側に第３のボッチを備えることを特徴とする医療用の血止めベルト。
【請求項２】
請求項１に記載の医療用の血止めベルトにおいて、前記の第３のボッチは不織布によって包まれることを特徴とする医療用の血止めベルト。
【請求項３】
請求項１に記載の医療用の血止めベルトにおいて、前記の第３のボッチ内にスポンジがあり、前記の第３のボッチは３つがそれぞれ並んでいることを特徴とする医療用の血止めベルト。
【請求項４】
請求項１に記載の医療用の血止めベルトにおいて、前記のかぎかけ側の厚みとロックの高さが同じ寸法で、かぎかけ側の上の第２のボッチとロックの上の第１のボッチの直径が同一で、前記の第１のボッチ、第２のボッチ、第３のボッチはいずれも半円弧状になっていることを特徴とする医療用の血止めベルト。
【考案の詳細な説明】
【技術分野】
【０００１】
この実用新型は一種の医療血止めベルトである。
【背景技術】
【０００２】
血だし、中毒および血抜きの時に、ふつうはベルトで絞るが、伝統的なベルトはだいぶ輪ゴムであり、絞るときに片側の結節で処理し、使用は比較的にややこしく、なおかつベルトと絞るところの接触面が比較的に小さく、従って、絞ったあと、絞るところが膨らみやすく、気持ちがよくない感覚である。
【考案の概要】
【考案が解決しようとする課題】
【０００３】
この実用新型で解決したい技術問題は一種の伝統を変える１つだけの絞り方を提供し、挿入式の絞り方にて、簡単で便利、３つの三番目のボッチにて絞るところと皮膚の接触面積にて、伝統的な１つだけの絞り方による絞るところの膨らみ、気持ちがよくない反応がないようにする医療血止めベルトである。
【課題を解決するための手段】
【０００４】
この実用新型は以下の技術案にて実現する、一種の医療血止めベルト、ベルト本体を含む、このベルト本体はソフトゴム材から構成し、このベルト本体の片側は口開け、ベルト本体の片側に１つのロックを備え、ロックの幅とベルト本体の幅が同様で、ロックは樹脂材から構成し、前記のロックが四角形で空いてしまい、このロックの上に一番目のボッチを備え、ベルト本体のもう１つ側はかぎかけ側で、前記のかぎかけ側の幅はベルト本体よりちいさく、前記のかぎかけ側の上側は一番目のボッチがまっすぐあっており二番目のボッチを備え、前記の二番目の上側に１つ以上の戻り止めシートを備え、前記のベルト本体の内側に三番目のボッチを備える。
【０００５】
厳選した技術案として、前記の三番目のボッチのそとに不織布を包む。
【０００６】
厳選した技術案として、前記の三番目のボッチ内にスポンジがあり、前記の三番目のボッチに３つを備え、それぞれ並んでいる。
【０００７】
厳選した技術案として、前記のかぎかけ側の厚みとロックの高さが同様で、かぎかけ側の二番目のボッチとロックの上の一番目の直径が同様で、前記の一番目のボッチ、二番目のボッチ、三番目のボッチはいずれも半円弧状になっている。
【考案の効果】
【０００８】
この実用新型によい効果は、この実用新型は伝統的な１つだけの絞り方を変え、挿入式の絞り方にて、簡単で便利、３つの三番目のボッチは絞るところと皮膚の接触面積を増やし、伝統的な１つだけの絞りによる絞るところの膨らみ、気持ちがよくない反応がないようにする。
【図面の簡単な説明】
【０００９】
【図１】この実用新型の全体構造の表し図である。
【図２】この実用新型のベルト本体の断面図である。
【考案を実施するための形態】
【００１０】
図１と図２のように、この実用新型は一種の医療血止めベルトであり、ベルト本体１を含む、このベルト本体１はソフトゴム材から造られており、この本体１の片側が開け口で、ベルト１の片側に１つのロック２を備え、ロック２の幅とベルト本体１の幅が同様で、ロック２は樹脂材から構成し、前記のロック２が四角形で空いてしまい、このロック２の上側の面に一番目のロック４を備え、ベルト本体１のもう１つ側がかぎかけ側７で、前記のかぎかけ側７の幅がベルト本体１の幅より小さく、前記のかぎかけ側７の上側の面の一番目のボッチ４がまっすぐあっており二番目のボッチ５を備え、前記の二番目のボッチ５の上側に１つ以上の戻り止めシート６を備え、前記のベルト本体１の内側に三番目のボッチ３を備える。
【００１１】
厳選した実施する方法として、三番目のボッチ３はそとに無職布を包み、無職布の効果は通風系を増やし、絞るときにもっと快適である。
【００１２】
厳選した実施する方法として、三番目のボッチ３内にスポンジがあり、前記の三番目のボッチ３に３つを備え、それぞれ並んでおり、スポンジから構成したボッチにて、快適さを増やす。
【００１３】
厳選した実施の方法として、かぎかけ側７の厚みとロック２の高さが同様で、かぎかけ側７の上の二番目のボッチ５とロック２の上の一番目のボッチ４の直径が同様で、前記の一番目のボッチ４、二番目のボッチ５、三番目のボッチ３はいずれも半円弧形になっている。
【００１４】
この実用新型によい効果として、この実用新型は伝統的な１つだけの絞り方をかえ、挿入式の絞り方にて、簡単で便利、３つの三番目のボッチにて絞るところと皮膚の接触面積を増やし、伝統的な１つだけの絞りによる絞るところの膨らみ、快適でない反応がないようにする。
【００１５】
上記の通り、この実用新型の具体的な実施する方法だけだが、この実用新型の保護範囲はそうでもなく、いずれの創造性の労働で思い出した変化または交換は、この実用新型の保護範囲内に含む。従って、この実用新型の保護範囲は権利要求書に定められたどおりの保護範囲に準ずるべきである。
【符号の説明】
【００１６】
１  ベルト本体
２、４  ロック
３、５  ボッチ
６  戻り止めシート
【図１】
0003199023.tif 000003
【図２】
0003199023.tif 000004
(57)【要約】      （修正有）【課題】構造が簡単で、使用と取り付け作業が簡単で、消毒、乾燥の効果がよく、保存が安全で、適用範囲が広く、使用寿命が長い、医療機器に用いる保存ケースを提供する。【解決手段】ケース本体１とケースふた、およびケース本体１内の隔離３を備え、ケース本体１内の隔離板４を備える。前記ケースふたをケース本体１に取り付け、ケース本体１に取っ手５を備え、ケース本体１内は一番目の隔離板３と二番目の隔離板４を一番目の保存スペース６、二番目の保存スペース７、三番目の保存スペース８と四番目の保存スペース９にわけ、一番目の保存スペース６内にスポンジ敷き物１０を備え、スポンジ敷き物１０は薬品のカンに用いる通風穴１１を備え、二番目のスペース７内に消毒器１２を備え、三番目の保存スペース８内に乾燥器１３を備える。【選択図】図１
0003199022.tif 000002
【実用新案登録請求の範囲】
【請求項１】
医療機器に用いる保存ケースにおいて、ケース本体とケースふた、およびケース本体内の第１の隔離板、ケース本体内の第２の隔離板を備え、前記のケースふたをケース本体に取り付け、前記のケース本体に取っ手を備え、前記のケース本体内は第１の隔離板と第２の隔離板によって第１のスペース、第２のスペース、第３のスペースと第４のスペースにわけられ、前記の第１のスペース１内にスポンジの敷き物を備え、前記のスポンジの敷き物に薬品の缶を置く通風穴を備え、前記の第２のスペース内に消毒器を備え、前記の第３のスペース内に乾燥機を備えることを特徴とする医療機器に用いる保存ケース。
【請求項２】
請求項１に記載の医療機器に用いる保存ケースにおいて、前記のケース本体の下に支え座を備え、前記の取っ手をケース本体と固定し接続することを特徴とする医療機器に用いる保存ケース。
【請求項３】
請求項１に記載の医療機器に用いる保存ケースにおいて、前記のケース本体とケースふたが外すことができることを特徴とする医療機器に用いる保存ケース。
【請求項４】
請求項１に記載の医療機器に用いる保存ケースにおいて、前記の第１の隔離板と第２の隔離板はいずれも抗菌材から作られていることを特徴とする医療機器に用いる保存ケース。
【考案の詳細な説明】
【技術分野】
【０００１】
この実用新型は一種の医療機器に用いる保存ケースにかかわる。
【背景技術】
【０００２】
いまの技術において、医療機器に消毒を行うのは医療機器全体を消毒溝または消毒タンスの中に入れ、こうすれば、置き方は順番がないため、取り出すときにとても不便で、消毒液も医者さんの手に粘着し、消毒後の医療機器は直ちに使用しなければ、二次汚染が起こる。
【考案の概要】
【考案が解決しようとする課題】
【０００３】
この実用新型で解決したい技術問題は一種の構造が簡単で、使用、取り付けが簡単で、作業が簡単で、消毒、乾燥の効果がよく、保存が安全で、コストが低く、適用範囲が広く、使用寿命が長く、安全で頼れる役割りがある医療機器に用いる保存ケースである。
【課題を解決するための手段】
【０００４】
前記の問題を解決するために、この実用新型は以下どおりの技術案を取る：
一種の医療機器に用いる保存ケースで、ケース本体とケースふた、およびケース本体内の隔離板１を備え、ケース内の隔離板２を備える、前記のケースふたをケース内に取り付け、前記のケース本体に取っ手を備え、前記のケース本体内は隔離板１と隔離板２にてスペース１、スペース２、スペース３とスペース４にわけ、前記のスペース１内にスポンジ敷き物を備え、前記のスポン敷き物に薬品のカンを置く通風穴を備え、前記のスペース２内に消毒器を備え、前記のスペース３内に乾燥器を備える。
【０００５】
厳選した技術案として、前記のケース本体の下に支え座を備え、前記の取っ手をケース本体に固定し接続する。
【０００６】
厳選した技術案として、前記のケース本体とケースふたを外して接続することができる。
【０００７】
厳選した技術案として、前記の一番目の隔離板と二番目の隔離板はいずれも抗菌材から造られている。
【考案の効果】
【０００８】
この実用新型は一種の医療機器に用いる保存ケースによい効果として、構造が簡単で、使用と取り付けはやりやすく、作業が簡単で、消毒、乾燥する効果がよく、保存が安全で、コストが低く、適用範囲が広く、使用する寿命が長く、安全で頼れる役割りがある。
【図面の簡単な説明】
【０００９】
【図１】この実用新型の一種の医療機器に用いる保存ケースの構造表し図である。
【図２】この実用新型の一種の医療機器に用いる保存ケースの全体図である。
【考案を実施するための形態】
【００１０】
図１と図２にように一種の医療機器に用いる保存ケースで、ケース本体１とケースふた２、およびケース本体１内の隔離３を備え、ケース本体１内の隔離板４を備える、前記ケースふた２をケース本体１に取り付け、前記のケース本体１に取っ手５を備え、前記のケース本体１内は一番目の隔離板３と二番目の隔離板４を一番目の保存スペース６、二番目の保存スペース７、三番目の保存スペース８と四番目の保存スペース９にわけ、前記の一番目の保存スペース６内にスポンジ敷き物１０を備え、前記のスポンジ敷き物１０は薬品のカンに用いる通風穴１１を備え、前記の二番目のスペース７内に消毒器１２を備え、前記の三番目の保存スペース８内に乾燥器１３を備える。
【００１１】
前記のケース本体１の下に支え座１４を備え、前記の取っ手５をケース本体１と固定し接続する。
【００１２】
前記のケース本体１とケースふた２は外して接続することができる。
【００１３】
前記の一番目の隔離板３と二番目の隔離板４はいずれも抗菌材から造られている。
【００１４】
この実用新型は一種の医療機器に用いる保存ケースによい効果として、構造が簡単で、使用と取り付けはやりやすく、作業が簡単で、消毒、乾燥の効果がよく、保存が安全で、コストが低く、適用範囲が広く、使用寿命が長く、安全で頼れる役割りがある。
【００１５】
上記のどおり、この実用新型の具体的な実施する方法であるが、この実用新型の保護範囲はそれでもなく、いずれの創造性のある労働を経たずに思い出した変化または交換は、この実用新型の保護範囲内に含む。従って、この実用新型の保護範囲は権利要求書に定められたどおりの保護範囲に準ずるべきである。
【符号の説明】
【００１６】
１  ケース本体
２  ケースふた
３  隔離
４  隔離板
５  取っ手
６、７、８、９  保存スペース
１０  敷き物
１１  通風穴
１２  消毒器
１３  乾燥器
【図１】
0003199022.tif 000003
【図２】
0003199022.tif 000004
(57)【要約】      （修正有）【課題】夏の時期に、暑さをしのぎ、涼しく過ごすためのフード付きＴシャツを提供する。【解決手段】フード付Ｔシャツであるが、接触冷感性能に優れた素材を用い、肩から頭全体を覆うフード部１を形成し、胸元上縁の中央から下方へ数センチ長さのアクセント的な開閉部２を設けており、脇の下に、フード部と同素材で汗取りパット４を設けたことを特徴とする。【選択図】図１
0003199030.tif 000002
【実用新案登録請求の範囲】
【請求項１】
フードＴシャツであるが、ゼロクールの様な接触冷感性能に優れた素材を用い、肩から頭全体を覆うフード部を形成し、胸元上縁の中央から下方へ数センチ長さのアクセント的な開閉部を設けており、脇の下に、フード部と同素材で汗取りパットを設けたことを特徴とするフード付Ｔシャツ。
【考案の詳細な説明】
【技術分野】
【０００１】  本考案は、夏の時期に、暑さをしのぎ、涼しく過ごすために考案したものである。
【背景技術】
【０００２】  従来、暑さを防ぐため、首にタオルを巻いたり、帽子をかぶったり、傘をさしたり、腕に日焼け防止カバー等、単品で用意しなければならなかった。
【考案の概要】
【考案が解決しようとする課題】
【０００３】  従来のものは、夏場対策をするためには、衣服とは別にあれこれと買い揃えなければならず、コスト面で非常に割高になっている。又、別々に買う他ないので、相互の組合せがファション的にちぐはぐ感を生んでしまいがちであった。
本考案
は、このような問題点を解決するためになされたものである
【課題を解決しようとする手段】
【０００４】  フード付Ｔシャツであるが、ゼロクールの様な接触冷感性能に優れた素材を用い、肩から頭全体を覆うフード部を形成する。Ｔシャツ胸元上縁の中央から下方へ数センチ長さのアクセント的な開閉部を設けており、脇の下に、フード部と同素材で汗取りパットを設ける。
以上を特徴とするフード付Ｔシャツである。
【考案の効果】
【０００５】  従来のものは、夏場対策をするために、あれこれいろんなグッズを別々に購入し、一揃い買い足すには多大な出費を伴った。
フード部がゼロクールの様な素材を用いているため、ヒンヤリ感と即乾性に優れ、すばやく熱を拡散、熱を生地に閉じ込めないので、うだるような暑さの中でも、フードをかぶることで逆に涼感を得ることができる。
通常、洗濯物干しの中で、フード部は乾きにくい部位であるが、本考案におけるフード部は、おどろく程の速乾性を有し、洗濯による機能低下が極めて低い素材でもある。
【図面の簡単な説明】
【０００６】
【図１】  本考案の前面半袖フード付Ｔシャツ
【図２】  本考案の前面長袖フード付Ｔシャツ
【考案を実施するための形態】
（番号を入れる）
【０００７】  フード付Ｔシャツであるが、ゼロクールの様な接触冷感性能に優れた素材を用い、肩から頭全体を覆うフード（１）を形成する。胸元上縁の中央から下方へ長さ数センチのアクセント的な開閉部（２）を設け、フォックまたはボタン（３）で開閉できる。様になっている。脇の下に上記素材で汗取りパット（４）を設ける。
従来、夏場対策をするために身に付けるものは、別々になっており、一揃い買い足すには多大な出費を伴った。
フードを被る事によって、顔を紫外線から守り、長袖を着用する事によって、紫外線をカットすることができる。
汗の不快感を抑えたい、強い日差しを防ぎたい、気になるいやなニオイを軽減したい、これらの悩み対策ができる。
【符号の説明】
【０００８】    １    フード部
２    開閉部
３    ホッックまたはボタン
４    汗取りパット
【図１】
0003199030.tif 000003
【図２】
0003199030.tif 000004
【手続補正書】
【提出日】平成27年5月20日(2015.5.20)
【手続補正１】
【補正対象書類名】実用新案登録請求の範囲
【補正対象項目名】全文
【補正方法】変更
【補正の内容】
【実用新案登録請求の範囲】
【請求項１】
フード付Ｔシャツであるが、接触冷感性能に優れた素材を用い、肩から頭全体を覆うフード部を形成し、胸元上縁の中央から下方へ数センチ長さのアクセント的な開閉部を設けており、脇の下に、フード部と同素材で汗取りパットを設けたことを特徴とするフード付Ｔシャツ。
(57)【要約】      （修正有）【課題】発生した熱を効率的に利用でき、かつ安全に利用できる安定した触媒式調理用熱源を利用した触媒式調理用器具を提供する。【解決手段】断熱材料で形成された箱状の本体内部の下方に触媒式調理用熱源６が入るポケット３を設け、本体内部で凝結した水分がこのポケットに向かって流下する傾斜面を設けると共に、ポケットの上面には、温める食料を載置するスノコ状又は網状の食料受け座４を設け、箱状本体２の上面開口には開閉自在な蓋１が設けられていることを特徴とする。【選択図】図２
0003199054.tif 000002
【実用新案登録請求の範囲】
【請求項１】
断熱材料で形成された箱状の本体内部の下方に触媒式調理用熱源が入るポケットを設け、本体内部で凝結した水分がこのポケットに向かって流下する傾斜面を設けると共に、ポケットの上面には、温める食料を載置するスノコ状又は網状の食料受け座が設け、箱状本体の上面開口には開閉自在な蓋が設けられていることを特徴とする触媒式調理用器具。
【請求項２】
遮熱塗装を施したことを特徴とする請求項１記載の触媒式調理用器具。
【考案の詳細な説明】
【技術分野】
【０００１】  本考案は、食料を温める器具に関するものである。
【背景技術】
【０００２】  従来レトルトされた食料を屋外活動や災害等の際に提供するためには、温めるための熱源を確保する必要があった。熱源の多くは火を使うものが多く、火の確保ができない場合、レトルト食品の提供はできない状況であった。【０００３】  また、災害時用に販売されている火力を使用しない触媒式の調理用熱源の多くは、提供されている容器のほとんどが、熱の有効利用を図るための工夫がなされておらず、発生した熱の多くが外部に逃げるため、十分な温度まで食料を温めることが困難であった。【０００４】  触媒式の調理用熱源に付属している容器の多くは、安定性も確保されていないものがほとんどで、災害時発生時などの特別な状況下では、食料を温めることは困難を極めていた。船舶に搭載されている非常食には、温めるためのガスコンロなどの器材が含まれておらず、食料を温める事は不可能だった。【０００５】  さらに、発熱体を使用する際の調理用入れ物は、そのほとんどがビニール袋であり、発熱体の発する熱の効率的な利用が困難であった（例えば、特許文献１参照）。
【先行技術文献】
【特許文献】
【特許文献１】特開２００２−１７３９０２号公報
【考案の概要】
【考案が解決しようとする課題】
【０００６】  しかしながら、屋外活動や災害時には、暖かい食料が必要である。また、災害発生初期にはその熱源の確保は困難であり、温かい食事の提供は人命存続の観点からも必須である。揺れる船舶での非常食の提供も人命存続のためにも必須である。【０００７】  本考案は、上記従来技術の課題に鑑み、触媒式調理用熱源を利用した調理器具として、発生した熱を効率的に利用でき、かつ安全に利用できる安定した調理用器具を提供することを目的とする。
【課題を解決するための手段】
【０００８】  このため、本考案の触媒式調理用器具は、断熱材料で形成された箱状の本体内部の下方に触媒式調理用熱源が入るポケットを設け、本体内部で凝結した水分がこのポケットに向かって流下する傾斜面を設けると共に、ポケットの上面には、温める食料を載置するスノコ状又は網状の食料受け座が設け、箱状本体の上面開口には開閉自在な蓋が設けられていることを第１の特徴とする。また、遮熱塗装を施したことを第２の特徴とする。
【考案の効果】
【０００９】  本考案に係る調理用器具は、発生した熱を効率よく利用できるとともに、発生した蒸気が凝結した水分を触媒式調理用熱源が入るポケットに有効に集めて反復使用できるので、触媒式調理用熱源の発熱効率が向上する。【００１０】  本考案の触媒式調理用熱源を使用する調理用器具において、触媒が水分と反応して熱を発生する際に発生する蒸気は、摂氏約１１０度に達する。そのため、通常の発泡スチロールなどではその熱に耐えることはできず、部分的に溶解が発生する場合がある。溶解を防止するために内部に遮熱塗装を施すことが効果的である。【００１１】  本考案の触媒式調理用熱源を使用する調理器具において、その構造材は熱を遮断し触媒式調理用熱源が発生させた熱を有効に利用できる材料であれば、その材質にはこだわらない。
【図面の簡単な説明】
【００１２】
【図１】本考案に係る調理用器具の一例を示す斜視図である。
【図２】本考案に係る調理用器具の一例を示す断面図である。
【図３】本考案に係る調理用器具本体の一例を示す平面図である。
【考案を実施するための形態】
【００１３】以下、本考案の実施の形態を図に基づいて説明する。
【実施例１】
【００１４】  図１は、本考案装置の実施例１の斜視図である。断熱効果を持つ材料で形成された箱状の本体内部の下方には、触媒式調理用熱源が入るポケット３が設けられている。このポケット３の外部には、凝結した水分がポケット３に流下しやすいよう傾斜面が設けられている。これにより凝結した水分がポケット３に集まるようになっている。【００１５】  ポケット３の外周斜面上面には、温める食料を載置するために、スノコ状又はあみ状の食料受け座４が置かれている。また、箱状の本体２の上面開口には蓋１が内部の熱を逃がさないように開閉自在に設けられている。【００１６】  本体２と蓋１の内部には耐久性と保温性能を保持するために遮熱塗装が施されている。【００１７】  使用する際は、本体下部に設けられたポケット３に触媒式調理用熱源６を入れ、その上に食料設置用の金網４を敷設する。さらにその上の空間５に温める食料を置く。食料を置いたら一定量の水を触媒式調理用熱源６に補給する。最後に蓋１を本体２に被せる。
触媒式調理用熱源を使用する調理用器具を、発泡性の断熱材料で製造し、発生した熱を有効に利用するとともに、発生した蒸気が凝結した際、その水分を有効に集めるための構造を持つこと、また、触媒式調理用熱源を使用する調理用器具において、内部を発生した熱から保護するために遮熱塗装を施すことで触媒式調理用熱源を利用した調理器具を構成している。水が補充された触媒式調理用熱源６は徐々に温度を上げ蒸気を発生させる。発生した蒸気は本体２の内部に充満し、本体２の空間の下に設けられた食材受け１の上に設けられた調理空間５に置かれた食材を温める。触媒式調理用熱源６の発熱は、１０分から１５分の間継続するため、レトルト食品など殆どの食料品は加熱調理することが可能となる。
【符号の説明】
【００１８】１  蓋体
２  箱状本体
３  ポケット
４  食料受け座
５  内部空間
６  触媒式調理用熱源
【図１】
0003199054.tif 000003
【図２】
0003199054.tif 000004
【図３】
0003199054.tif 000005
(57)【要約】      （修正有）【課題】公施工現場において金属ボルト等でネジ止めする等の手間を要せず簡単に組み立てられ、全体が嵩高にならずコンパクトに分解して運搬が極めて便利で大量のセットを一度に運べ、階段の設置個所に茂る草を電動草祓機で刈り取る際、破損した鋸歯や金属製ボルト等の飛散による危険を伴わない屋外擬木丸太階段を提供する。【解決手段】歩行者の足の木製ステップ丸太１と、この木製ステップ丸太１の両端に連結していて山道等の地中に埋設する木製杭２と、これら木製ステップ丸太１と木製杭２とに設けた挿入穴３、４に木製連結棒５を介して連結して組み立てるように構成した。【選択図】図２
0003199058.tif 000002
【実用新案登録請求の範囲】
【請求項１】
木製ステップ丸太１、１と、この木製ステップ丸太１，１の両端に連結して山道等の地中に埋設する木製杭２、２と、これら木製ステップ丸太１，１と木製杭２，２とに設けたを挿入穴３，３、４、４に木製連結棒５・・・を介して連結して組み立てるようにした屋外木製丸太組立階段。
【考案の詳細な説明】
【考案の詳細な説明】
【技術分野】
【０００１】  本考案は、公園や山岳地域等の遊歩道に設置する木製丸太の階段であて、施工時の手間を要さず簡単に組み立てられ、各部位を分解してコンパクトに運搬できて大量の組み立てセットを運べ、階段周囲の雑草を電動草刈機で刈り取る際に危険を伴わないようにした屋外木製丸太組立階段に関するものである。
【従来技術】
【０００２】  例えば、先行文献１のパンフレット（階段▲１▼・◆ヤマム◆  エコ擬木  株式会社山十）には、公園や山岳地域等の遊歩道に設置される擬木丸太階段であって、歩行者の足のステップ部分である一本又は２本の擬木丸太が地面に打ち込む擬木杭に金属ボルトナットで連結固定された屋外擬木丸太階段が示されている。
【０００３】  しかしながら、先行文献１においては、擬木階段（プラスティック製）であって木製組立階段ではなく最初から組み立てられた状態であり施工現場へ運んで組み立てるものではない。したがって、コンパクトに分解できないために嵩高になり運搬が極めて不便である。また、全体がプラスティック製であってステップ部分と杭が金属ボルトナットで連結されているため、電動草刈機で刈り取る際、草刈り機の鋸歯を傷めたり、破損により金属歯や金属ボルトナットが飛散したりして危険を伴う。
【０００４】  また、先行文献２  パンフレット（一本丸太・二本組木丸太階段  ヤマム株式会社）には、公園や山岳地域等の遊歩道に設置される擬木丸太の階段であって、歩行者の足のステップ部分である一本又は２本の擬木丸太（プラスティック製）が道地面に挿入固定する擬木杭に固定された屋外擬木丸太階段が示されている。
【０００５】  しかしながら、先行文献２においても文献１と同様に、プラスティック製の擬木階段であって木製組立階段ではなく最初から組み立てられた状態であり施工現場へ運んで組み立てるものではない。したがって、コンパクトに分解できないために嵩高になり運搬に極めて不便である。また、全体がプラスティック製であって階段周囲の雑草を電動草刈機で刈り取る際、草刈り機の鋸歯を傷め破損により金属歯が飛散して危険を伴う。
【先行特許文献】
【０００６】  文献１  パンフレット（階段▲１▼・◆ヤマム◆  エコ擬木  株式会社山十）
ｈｔｔｐ：／／ｙａｍａｊｕ１．ｌｉｘ．ｊｐ／ｐｕｒａｇｉｂｏｋｕ／ｓｙｏｕｈｉｎｎ／ｐｕｒａｇｉｂｏｋｕ‐ｋａｉｄａｎ．ｈｔｍ
文献２  パンフレット（一本丸太・二本組木丸太階段  ヤマム株式会社）
ｈｔｔｐ：／／ｗｗｗ．ｙａｍａｍｕ．ｃｏｍ／ｋａｉｄａｎ．ｈｔｍ
【発明が解決しようとする課題】
【０００７】  本発明においては、施工現場において金属ボルト等でネジ止めする等の手間を要せず簡単に組み立てられ、全体が嵩高にならずコンパクトに分解できて運搬が極めて便利で大量のセットを一度に運べ、階段の設置個所に茂る草を電動草祓機で刈り取る際、破損した鋸歯や金属製ボルト等の飛散による危険を伴わない屋外擬木丸太階段を提供するものである。
【課題を解決する手段】
【０００８】  請求項１の考案は、木製ステップ丸太１、１と、この木製ステップ丸太１，１の両端に連結して山道等の地中に埋設する木製杭２、２と、これら木製ステップ丸太１，１と木製杭２，２とに設けたを挿入穴３，３、４、４に連結棒５・・・を介して連結して組み立てるようにした屋外木製丸太組立階段を提供するものである。
【０００９】  本考案においては、施工現場において金属ボルト等でネジ止めする等の手間を要せず簡単に組み立てられ、全体が嵩高にならずコンパクトに分解して運搬が極めて便利で大量のセットを一度に運べ、階段の設置個所に茂る草を電動草祓機で刈り取る際、破損した鋸歯や金属製ボルト等の飛散による危険を伴わない屋外擬木丸太階段を提供することが出来る。
【考案を実施するための形態】
【００１０】  以下に本発明の一実施形態を図面に基づき説明する。図１は本考案の屋外木製丸太組立階段の組立状態図、図２は木製ステップ丸太と木製杭とを連結棒により各挿入穴を介して連結した部分断面、図３は木製ステップ丸太、木製杭、木製連結棒、挿入穴の各部位を示す部分部品図である。杉の間伐材を使用した木製ステップ丸太１、１と、この木製ステップ丸太１，１の両端に連結していて山道等の地中に先端を多角形上に切り取った挿入部分２ａ、２ａを介して埋設する木製杭２、２と、これら木製ステップ丸太１，１と木製杭２，２とに設けた挿入穴３，３、４、４に木製連結棒５・・・を介して連結して組み立てるように構成している。この屋外木製丸太組立階段を地面に固定する場合、木製ステップ丸太１の下段が土に少し埋まる程度にするとしっかり固定できる。この屋外木製丸太組立階段は杉の間伐材を使用した木製であるので、山道等に使用する階段として質感が良く長期使用によって腐敗した場合、プラスティックの擬木と異なり土に自然にもどる。しかしながら、長期間の使用に耐えるように防腐剤を吹き付け若しくは浸漬処理することが好ましい。
【考案の効果】
【００１１】  この発明においては、施工現場において金属ボルト等でネジ止めする等の手間を要せず簡単に組み立てられ、全体が嵩高にならずコンパクトに分解して運搬が極めて便利で大量のセットを一度に運べ、階段の設置個所に茂る草を電動草祓機で刈り取る際、破損した鋸歯や金属製ボルト等の飛散による危険を伴わない屋外擬木丸太階段を提供できる。
【図面の簡単な説明】
【００１２】
【図１】  組立状態図
【図２】  ステップ丸太と杭とを連結棒により挿入穴を介して連結した部分断面
【図３】  ステップ丸太、杭、連結棒、挿入穴を示す部分図
【符号の説明】    １、１              木製ステップ丸太
２，２              木製杭
３，３，４，４      挿入穴
５・・・            木製連結棒
【図１】
0003199058.tif 000003
【図２】
0003199058.tif 000004
【図３】
0003199058.tif 000005
(57)【要約】      （修正有）【課題】フィルムシートを用いて容易に組み立てられ、かつ十分な強度を持ち、また、車輪部を備えることで自走することを特徴とする車輪付き組み立て自動車を提供する。【解決手段】組み立て自動車にはフック構造を持った差し込みａ１、ｂ１、ｃ１、ｄ１と切込みｅ２、ｆ２、ｇ２を備えた胴体下部２と差し込みｅ１、ｆ１、ｇ１、及びボンネット部ｈ１と対になる切り込みｈ２、胴体下部２の差し込みと対になる切り込みａ２、ｂ２、ｃ２、ｄ２を持つ胴体上部３が大部分をトムソンで打ち抜かれ部分的にシートに固定された状態で備わっている。このことで鋏やカッターなどの切り離し用の道具を必要としないでも、固定されたシートから分離しやすく、模型を組み立てられる構造となっている。【選択図】図１
0003199052.tif 000002
【実用新案登録請求の範囲】
【請求項１】
薄地のフィルムシート材料にトムソン型を使用して打ち抜いた複数の部品が差し込み部と、この差し込み部に差し込み組み合わせる切込み部を備えることで、それらの部品をシートから外して組み合わせたときに、糊やテープ等の接着道具を用いる事無く、かつ鋏やカッターなどの切り離し用の道具も用いずに簡単に模型の自動車を作製できる事を特徴とする車輪付き組み立て自動車。
【請求項２】
厚手のウレタンスポンジにトムソン型を使用して外形を円形に、その同心円上に外形の２０％から３０％の大きさの円形で穴をあけたものに、その穴と同じ大きさの径を持つプラスチックの筒の両端を差し込み固定した構成物を、請求項１で組み立てた模型の自動車の底部の前後２か所に備えることで自走することを特徴とする車輪付き組み立て自動車。
【請求項３】
前記のフィルムシート材料に対する印刷は、オフセット印刷を用いて絵や文字、写真などを印刷した請求項１に記載の車輪付き組み立て自動車。
【考案の詳細な説明】
【技術分野】
【０００１】  本考案は主として、フイルムシート材料に対して施された、多目的に使用できる利便性の高いノベルティー商品に関するものである。
【背景技術】
【０００２】  従来の紙で作製していた組み立て自動車は、組み立てるときにパーツ固定用の糊やテープ、シートからパーツを分離する為のはさみやカッター等の道具が必要だった。また、紙製の組み立て自動車は水等の液体でぬれた場合に、破れ、たわみなどが生じ、その品質が大きく劣化する。また、組み立てた後は観賞用となどとして利用する以外に用途が無かった。
【考案が解決しようとする課題】
【０００３】  ノベルティとして本物品を手にした場合に、その場で組み立てて使用する事ができる様に固定に用いる部分の構造を組みやすく、外れにくいものとした。また、耐水性の高いフィルムシートを使用する事で、水に強い商品を作製する事ができる。  さらに、ウレタンスポンジを用いて車輪部を作製することで自走可能な模型となり、玩具としての機能も備える。
【課題を解決するための手段】
【０００４】    トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
【考案実施の形態】
【０００５】  図１は本考案の車輪付き組み立て自動車（１）の視図である。図１で組み立て自動車にはフック構造を持った差し込み（ａ１）（ｂ１）（ｃ１）（ｄ１）と切込み（ｅ２）（ｆ２）（ｇ２）を備えた胴体下部（２）と差し込み（ｅ１）（ｆ１）（ｇ１）、及びボンネット部（ｈ１）と対になる切り込み（ｈ２）、胴体下部（２）の差し込みと対になる切り込み（ａ２）（ｂ２）（ｃ２）（ｄ２）を持つ胴体上部（３）が大部分をトムソンで打ち抜かれ部分的にシートに固定された状態で備わっている。このことで鋏やカッターなどの切り離し用の道具を必要としないでも、固定されたシートから分離しやすく、模型を組み立てられる構造となっている。
【０００６】  図２は本考案の車輪付き組み立て自動車（１）に備わる胴体下部（２）と胴体上部（３）の斜図である。トムソン型で折り筋加工、打ち抜き加工された胴体上部（３）を組み立て、胴体上部に施された複数の差し込み（ｅ１）（ｆ１）（ｇ１）を胴体下部（２）の端に対になる様に設けられた切込み（ｅ２）（ｆ２）（ｇ２）に、胴体下部（２）の差し込み（ａ１）（ｂ１）（ｃ１）（ｄ１）を胴体上部（３）の切り込み（ａ２）（ｂ２）（ｃ２）（ｄ２）に、ボンネット部の差し込み（ｈ１）と対になる胴体上部（３）の切り込み（ｈ２）に組み合わせる事で、糊やテープ等の接着道具がなくても本考案の組み立て自動車を組み立てることができる。また、軸受け部（ｉ１）（ｉ２）（ｉ３）（ｉ４）を作製することで、自走用の車輪部を組み込むことが出来る。
【０００７】  図３は本考案の車輪付き組み立て自動車（１）の胴体下部（２）の前後に存在する軸受け部（ｉ１）（ｉ２）（ｉ３）（ｉ４）に組み込むことで自走可能となる、車輪部の斜視図である。車輪となるスポンジ（Ｗ１）（Ｗ２）はあらかじめトムソン型で円形に打ち抜かれており、その同心円状に車軸となるプラスチックの筒（Ｓ）の両端（Ｓ１）（Ｓ２）を固定するための穴（Ｈ１）（Ｈ２）を備えている。
【０００８】  図４は本考案の車輪付き組み立て自動車（１）の胴体下部（２）の前後に存在する軸受け部（ｉ１）（ｉ２）（ｉ３）（ｉ４）にプラスチックの筒（Ｓ）の両端（Ｓ１）（Ｓ２）を固定したスポンジ（Ｗ１）（Ｗ２）を固定し、自走可能な状態となったことを示す斜視図である。この時、プラスチックの筒（Ｓ）が軸受け部（ｉ１）（ｉ２）（ｉ３）（ｉ４）を貫通し、スポンジ（Ｗ１）（Ｗ２）と固定されていることで、車輪の脱落を防ぎ、かつ力を加えることで自走可能な構造となっている。
【図面の簡単な説明】
【０００９】
【図１】本考案の車輪付き組み立て自動車の視図
【図２】図１の車輪付き組み立て自動車の斜図
【図３】車輪部の斜図
【図４】図１の車輪付き組み立て自動車に車輪部を組み込んだ斜図
【符号の説明】
【００１０】１    組み立て自動車２    胴体下部３    胴体上部ａ１  差し込み１ｂ１  差し込み２ｃ１  差し込み３ｄ１  差し込み４ｅ１  差し込み５ｆ１  差し込み６ｇ１  差し込み７ｈ１  差し込み８ａ２  切り込み１ｂ２  切り込み２ｃ２  切り込み３ｄ２  切り込み４ｅ２  切り込み５ｆ２  切り込み６ｇ２  切り込み７ｈ２  切り込み８ｉ１  車軸受け１ｉ２  車軸受け２ｉ３  車軸受け３ｉ４  車軸受け４Ｗ１  ウレタンスポンジ１Ｗ２  ウレタンスポンジ２Ｓ    プラスチックの筒Ｓ    プラスチックの筒先端部１Ｓ２  プラスチックの筒先端部２
【図１】
0003199052.tif 000003
【図２】
0003199052.tif 000004
【図３】
0003199052.tif 000005
【図４】
0003199052.tif 000006
(57)【要約】      （修正有）【課題】車椅子等の幅広いハンドルに、バッグの持ち手をそれぞれに掛けられ、ハンドルから外しても従来のバッグとして不具合なく使用できる、本体の向きを限定しない全方向型の物品収納バッグである車イス対応全方向型バッグを提供する。【解決手段】バッグの胴１、２とマチ３の境に持ち手のベルト４を取り付け、更に本体の下部まで延伸することで収納された物品荷重を支えることを特徴とする。【選択図】図１
0003199050.tif 000002
【実用新案登録請求の範囲】
【請求項１】
バッグの胴とマチの境に持ち手のベルトを取り付けることで、多面利用が可能になることを特徴とする車椅子対応全方向型バッグ。
【請求項２】
持ち手のベルトを本体の下部まで延伸し補強することで、収納された物品荷重に耐えうる構造となることを特徴とする請求項１の車椅子対応全方向型バッグ。
【考案の詳細な説明】
【考案の詳細な説明】
【考案の属する分野】
【０００１】    本考案は、車椅子等のハンドルに両方の持ち手をそれぞれに掛けることが可能で、ハンドルから外しても従来のバッグとして不具合なく使用できる、本体の向きを限定しない全方向型の物品収納バッグに関するものである。
【背景技術】
【０００２】    従来、ショルダーバッグや手提げ鞄等、通常バッグと呼ばれるもの全般は平面的に作られており、胴とマチの幅の比率が違っている。人体の側面で持ち手を掴む・肩に掛ける・腕に掛ける動作を目的とする。持ち手は前胴と後胴にそれぞれ一本ずつ取り付けられている。
【考案の開示】
【考案が解決しようとする課題】
【０００３】    これは次のような欠点があった。
（イ）一般的なバッグを車椅子やのハンドルに掛けようとすると、持ち手が両ハンドルに届かない。届いたとしても本来の使用の向きが違うため、開口部が全開になってしまい、中身が見えて無防備になる。また、バッグのマチいわゆる側面が車椅子の背後に突出し、介助者の足元にぶつかり歩き難く危険であった。開いたバッグの口は、盗難にあう危険性や逆に店内で盗難を疑われる可能性があった。ポケットもバッグの下部にあるため、介助者がかがむ必要があった。
（ロ）自走式車椅子の場合は、車椅子専用の頑丈なファスナー付バッグや一般に市販されているリュックサックを利用しているが、容量や用途が限定されるような構造だった。
（ハ）従来の車椅子バッグは、胴とマチの対比が大きく、持ち手は車椅子専用で、容量の小さいものや蓋のないもの、耐荷重が考慮されていないもの等、使いづらさがあった。
（ニ）従来の車椅子バッグを車椅子から外し、介助者が単独で利用する際、本体の向きが違い、二本の持ち手が片手でつかめない形状であり、汎用性に乏しい問題点があった。
本考案は、以上のような欠点をなくすためになされたものである。
【問題を解決するための手段】
【０００４】    本考案は、持ち手のベルト（４）が前胴（１）と背胴（２）を跨ぎ、胴（１）（２）とマチ（３）の境にベルトを取付け、本体を包む形状で底部が補強された全方向型バッグを提供することにより、上記課題を解決したものである（図１）。
【考案の効果】
【０００５】    本考案によれば、耐荷重構造の車椅子バッグとして、買い物や旅行などに活用できる。蓋をすることで安全性が高まり、巾着のように蓋の形状によっては容積も増える。ベルトの位置が全方向に対応していることで単独のバッグとしても自然な形状で使用でき、利用範囲が広がる。
【図面の簡単な説明】
【０００６】
【図１】本考案の外観図である。
【図２】本考案の左側面図である。
【図３】本考案の車椅子装着時の左側面図である。
【考案を実施するための最良の形態】
【０００７】    以下、本考案を実施するための形態について図１から図３に基づいて説明する。
図１の外観図は、本考案の基本的な構造を示している。胴（１）（２）マチ（３）との境にベルト（４）を取り付け、前胴から後胴（２）へ跨ぐかたちで持ち手を取り付ける。境目にベルトを取り付けることによって、胴とマチの両面がいづれも自然な概観となり、車椅子使用時、不使用時ともに使うことができる。【０００８】    ベルト（４）は、本体の容量の荷重を考慮し、十分な太さのものを用いて取り付ける。持ち手部分の長さは、車椅子のハンドルとブレーキが車種によって形状がことなることを考慮し、十分な長さを用いる。ある程度の長さがないと、単独で使用した時に肩にかける等介助者のとっさの動作に対応することができない。しかし長すぎると車椅子に掛けた時、本体の位置が低くなり、介護者がバッグの中身を取る時にかがむ必要が出て負担が増える。ベルトの使い方は限定的とならないようにする。【０００９】    ベルトが本体の底部まで伸びることにより、バッグ下部を支える強度が増し、荷重に耐え、安全性が高まる。ベルトはバッグの形状により取付け方が変わるが、持ち手から前胴と後胴をマチ底部を通り繋ぐ一周構造は強度が高い。前胴と後胴がベルトで繋がらないデザインの場合は、補強として二重布の取付け、または前胴と後胴を結ぶベルトを底部に取付ける。ベルトにより重い食料を入れても容易に底が抜けない、本体が伸びない構造を考慮する。
持ち手に金具を取り付ける場合、本体底部の強度があれば、持ち手とベルトが繋がっていることを問わない。【００１０】    図１の開口部（５）に巾着を取り付ければ、野菜など柔らかく傷みやすいものを大きな開口部から入れられ覆うことができる。その他にファスナーを付けたり、蓋を取り付けることで、鍵をつけることもでき、安全性に配慮したバッグとして展開することができる。ポケットを前胴（１）上部やマチ（３）に取り付けることで更に便利になる。【００１１】    図２の右側面図は、ベルトが胴（１）（２）とマチ（３）の境にあるため、側面も正面も自然な概観になっていることを示す。【００１２】    図３は本考案の車椅子装着時の左側面図である。車椅子の背もたれと平行の構造のため、バッグがマチが突き出て介助者の足に当たるということがない。
車椅子等を折り畳む時に、全方向型バッグを地面に置くことを考慮し防水・防汚対策として底部周辺を撥水またはナイロン素材にすることも一案である。外観の形状をダーツで丸みを持たせたり、介助者と利用者二人分の水筒を入れるポケット、すぐに取り出せる高い位置のポケット、小物入れの数や形状と位置、収納容積等で多様性がある。
【符号の説明】    １  前胴
２  後胴
３  マチ
４  ベルト
５  開口部
【図１】
0003199050.tif 000003
【図２】
0003199050.tif 000004
【図３】
0003199050.tif 000005